(57)【要約】【課題】シューズの中底面と競技者の足裏との間の滑りを抑制する。【解決手段】シューズ（１）の中底面（２）に対して装着されるインソール（３）が、中底面（２）に沿った形状で形成された芯材層（５）と、芯材層（５）における表面（５Ａ）に設けられた、弾性を有する表側滑り止め部材（４）と、芯材層（５）における裏面の少なくとも前足部に設けられた、弾性を有する裏側滑り止め部材（６）と、を備える。【選択図】図１
2017221324.tif 000002
【特許請求の範囲】
【請求項１】
シューズの中底面に対して装着されるインソールであって、
前記中底面に沿った形状で形成された芯材層と、
前記芯材層における表面に設けられた、弾性を有する表側滑り止め部材と、
前記芯材層における裏面の少なくとも前足部に設けられた、弾性を有する裏側滑り止め部材と、を備えるインソール。
【請求項２】
前記裏側滑り止め部材が前記裏面の踵部にも設けられている請求項１に記載のインソール。
【請求項３】
前記裏側滑り止め部材が前記裏面の全面に設けられている請求項２に記載のインソール。
【請求項４】
前記表側滑り止め部材と前記裏側滑り止め部材とは同一の素材から形成されている請求項１〜３のいずれか一項に記載のインソール。
【発明の詳細な説明】
【技術分野】
【０００１】
本発明は、シューズの中底面に対して装着されるインソールに関する。
【背景技術】
【０００２】
この種のインソールとして、特許第３９８８９４６号公報（特許文献１）には、それぞれ軟性弾性部材で構成された上部インソール及び下部インソールと、両者の間に介装された波形状の波形シートとからなる複層構造のインソールが提案されている。このインソールでは、芯材としての波形シートにより上部及び下部インソールの変形を抑制しながら、軟性弾性部材で構成された上部インソールによりシューズ着用時のソフトな足当たり感を確保するとともに、同じく軟性弾性部材で構成された下部インソールにより高いクッション性を確保している。
【先行技術文献】
【特許文献】
【０００３】
【特許文献１】特許第３９８８９４６号公報
【発明の概要】
【発明が解決しようとする課題】
【０００４】
近年、シューズの中底面と競技者の足裏との滑りの有無がスポーツ競技者のパフォーマンスに大きな影響を与えることがわかってきた。つまり、シューズの中底面と競技者の足裏との間に滑りが生じるということは、その分競技者の加える力がシューズ内部で散逸されるということである。このため、シューズの中底面と競技者の足裏との間の滑りをなくせば、競技者の加える力がシューズを介して地面に直接加えられることとなり、その結果、競技者のパフォーマンスが向上する。また、スポーツで如何に高いパフォーマンスを発揮するかという観点では、柔らかすぎる場合、足とシューズ内部との間に遊びが生じるなど競技者の加える力が分散されやすく弊害になり得る。
【０００５】
このため、スポーツで用いられるいわゆるスポーツシューズでは、いかにシューズの中底面と競技者の足裏との間の滑りを抑制するかが求められる。しかし、上記特許文献１のインソールは、あくまでもクッション性に対するものであり、シューズの中底面と競技者の足裏との間の滑りに対する対策まで講じられたものではない。
【０００６】
そこで、シューズの中底面と競技者の足裏との間の滑りを抑制できるインソールの実現が望まれる。
【課題を解決するための手段】
【０００７】
本発明に係るインソールは、
シューズの中底面に対して装着されるインソールであって、
前記中底面に沿った形状で形成された芯材層と、
前記芯材層における表面に設けられた、弾性を有する表側滑り止め部材と、
前記芯材層における裏面の少なくとも前足部に設けられた、弾性を有する裏側滑り止め部材と、を備える。
【０００８】
つまり、シューズの中底面と競技者の足裏との間の滑りの少ないインソールにするためには、競技者の足裏とインソールの表面との間の滑りを少なくし、かつ、インソール裏面とシューズの中底面との間の滑りを少なくすることが必要となる。
【０００９】
そこで、この構成では、競技者の足裏とインソールの表面との間の滑りを抑制するために、芯材層の表面に弾性を有する表側滑り止め部材を設けてある。つまり、競技者の足裏と接する芯材層の表面に滑り止め機能を設けて、競技者の足裏とインソールの表面との滑りを抑制するのであるが、さらにその表側滑り止め部材を弾性を有するものとすることで、表側滑り止め部材が競技者の足裏に沿った形状に変形し、表側滑り止め部材と足裏との接触面積が増大し、その結果、足裏に作用する表側滑り止め部材の滑り止め効果が効果的に向上する。これにより、競技者の足裏とインソールの表面との間の滑りを効果的に抑制することができる。
【００１０】
そして、この構成では、インソール裏面とシューズの中底面との間の滑りを抑制するため、芯材層をシューズの中底面に沿った形状で形成してある。これにより、特許文献１のように芯材層が波形状となっているものと異なり、芯材層が中底面に対して嵌まる状態となる。これにより、インソールがシューズの中底に対して相対移動しにくくなる。さらに、この構成では、芯材層の裏面のうち、特に力が加えられやすい前足部について弾性を有する裏側滑り止め部材を設けてある。これにより、前足部に適度なクッション性を持たせながら、裏側滑り止め部材によって、インソール裏面とシューズの中底面との間の滑りを効果的に抑制する。つまり、この構成によれば、芯材層をシューズの中底面に沿った形状としてインソールがシューズの中底に対して相対移動しにくくしつつ、さらに裏側滑り止め部材によってシューズの中底面に対しインソール裏面を滑り止めする。これにより、インソール裏面とシューズの中底面との間の滑りを効果的に抑制することができる。
【００１１】
したがって、この構成によれば、シューズの中底面と競技者の足裏との間の滑りを効果的に抑制することができる。
【００１２】
以下、本発明に係るインソールの好適な態様について説明する。但し、以下に記載する好適な態様例によって、本発明の範囲が限定される訳ではない。
【００１３】
１つの態様として、前記裏側滑り止め部材が前記裏面の踵部にも設けられていると好適である。
【００１４】
この構成によれば、芯材層の裏面のうち、前足部の次に力が加えられやすい踵部について弾性を有する裏側滑り止め部材を設けてある。これにより、踵部に適度なクッション性を持たせながら、裏側滑り止め部材によって、インソール裏面とシューズの中底面との間の滑りを一層効果的に抑制する。したがって、シューズの中底面と競技者の足裏との間の滑りを一層効果的に抑制することができる。
【００１５】
１つの態様として、前記裏側滑り止め部材が前記裏面の全面に設けられていると好適である。
【００１６】
この構成によれば、裏側滑り止め部材を裏面の全面に設けるから、裏側滑り止め部材によって、インソール裏面とシューズの中底面との間の滑りが一層効果的に抑制される。これにより、シューズの中底面と競技者の足裏との間の滑りを一層効果的に抑制することができる。
【００１７】
１つの態様として、前記表側滑り止め部材と前記裏側滑り止め部材とは同一の素材から形成されていると好適である。
【００１８】
この構成によれば、表側滑り止め部材と裏側滑り止め部材とを同一の作業工程内で形成することが可能になる。
【図面の簡単な説明】
【００１９】
【図１】第１実施形態に係るインソールの分解斜視図
【図２】第１実施形態に係るインソールの断面図
【図３】第２実施形態に係るインソールの裏面図
【発明を実施するための形態】
【００２０】
〔第１の実施形態〕
本発明に係るインソールの第１の実施形態について、図面を参照して説明する。図１，２に示すように、本実施形態に係るインソール３はシューズ１の中底面２に対して装着されるものである。そして、インソール３は、上から順番に、表側滑り止めシート（表側滑り止め部材に相当）４と、芯材シート（芯材層に相当）５と、裏側滑り止めシート（裏側滑り止め部材に相当）６とから構成された複層構造で形成されている。
【００２１】
芯材シート５は、シューズ１の中底面２における前足部２ａから踵部２ｂにかけて、中底面１ａに沿った形状で、形成されている。例えば、中底面２は前足部２ａと踵部２ｂとの間の中足部２ｃにおいて、いわゆる土踏まずに対応する内側部分２ｄと、内側部分２ｄとは逆側の外側部分２ｅとが、人の足裏の形状に沿うように、上に凸のアーチ状となっているが、芯材シート５も、中底面２における中足部２ｃの内側部分２ｄと外側部分２ｅとの対応箇所５ａ及び５ｂが上に凸のアーチ状となっている。なお、その他の部分についても芯材シート５は中底面２に沿わせた形状となっている。また、インソール３の変形を抑止するべく、保形性・弾力性の高い素材で形成してあり、本実施例では、ウレタン樹脂の発泡体を用いて形成してある。
【００２２】
表側滑り止めシート４は、芯材シート５と同形状であり、芯材シート５における表面５Ａの全面に設けられる。その素材としては、軟質で弾性を有するものとしてあり、本実施例ではエチレン・酢酸ビニル共重合体（ＥＶＡ）の発泡体を用いている。そして、ＥＶＡの発泡体からなる表側滑り止めシート４の表面４Ａは、成形の際に生じるスキン層を除去することにより滑り止め機能を持たしてある。つまり、スキン層を除去することにより表面４Ａの摩擦係数を高め、これにより、シューズ使用者の足裏と表面４Ａとの間に高い摩擦力が発生することとなり、シューズ使用者の足裏と表側滑り止めシート表面４Ａとの間の滑りが抑制される。
【００２３】
裏側滑り止めシート６は、同じく芯材シート５と同形状であり、芯材シート５における裏面の全面に設けられる。その素材としては、軟質で弾性を有するものとしてあり、本実施例ではエチレン・酢酸ビニル共重合体（ＥＶＡ）の発泡体を用いている。そして、ＥＶＡの発泡体からなる裏側滑り止めシート６の裏面は、成形の際に生じるスキン層を除去することにより滑り止め機能を持たしてある。これにより、裏側滑り止めシート６の裏面とシューズ１の中底面２の間に高い摩擦力が発生することとなり、裏側滑り止めシート６の裏面と中底面２との間の滑りが抑制される。
【００２４】
本実施形態では、上記のように、表側滑り止めシート４と裏側滑り止めシート６とは同一の素材から形成されている。これにより、表側滑り止めシート４と裏側滑り止めシート６とを同一の作業工程内で形成することが可能になる。また、表側滑り止めシート４と裏側滑り止めシート６とはそれぞれ０．５〜３．５ｍｍ、より好ましくは１．０〜２．０ｍｍの厚さで形成されていると好適である。０．５ｍｍ未満の厚さであると十分なクッション性が得られず、３．５ｍｍ（インソール総厚み７．０ｍｍ）を超える厚さであるとインソール３全体の厚さが厚くなり過ぎ使用困難になるためである。なお、インソール３の総厚みでいえば、インソール３は１．０〜７．０ｍｍの厚さで形成されていると好適である。また、同一の作業工程内で形成する観点からは表側滑り止めシート４と裏側滑り止めシート６とは同じ厚さであることが好ましいが、両者が異なる厚さで形成されていてもよい。
【００２５】
インソール３は、上記した、スキン層をあらかじめ除去した表側滑り止めシート４と芯材シート５とスキン層をあらかじめ除去した裏側滑り止めシート６を重ね合わせた状態でプレスすることにより一体成型されている。そして、通気性確保のため、インソール３には、裏表を貫通する通気口を全面に分散して設けてある。
【００２６】
表側滑り止めシート４及び裏側滑り止めシート６に用いる素材は、滑り止め加工を施すことなく滑り止め機能を有する素材そのもののほか、成形後表面に滑り止め加工を施すものでもよく特に限定されない。例えば、ＥＶＡのほか、その他の熱可塑性合成樹脂の発泡体、ポリウレタン等の熱硬化性樹脂及びその発泡体、天然ゴムや合成ゴムなどのゴム性素材及びその発泡体、その他クッション性を有する素材などから形成しても良い。
【００２７】
芯材シート５（又は芯材層）に用いる素材は、インソール３の変形を抑止できる程度の保形性・弾力性を有するものであれば特に限定されない。例えば、ＥＶＡなどの熱可塑性合成樹脂の発泡体、ポリウレタン等の熱硬化性樹脂及びその発泡体、天然ゴムや合成ゴムなどのゴム性素材及びその発泡体、その他クッション性を有する素材のほか、カーボン繊維等を用いた強化繊維などの繊維や、合成繊維、不織布、皮革などから芯材シート５を形成することが可能である。
【００２８】
このように、インソール３を構成することによりシューズ１の中底面２とシューズ使用者の足裏との間の滑りを効果的に抑制することができる。つまり、このインソール３では、表側滑り止めシート４により、競技者の足裏とインソールの表面との間の滑りが抑制される。そして、芯材シート５をシューズ１の中底面２に沿った形状とすることにより、インソール３（芯材シート５）が中底面２に対して嵌まる状態となり、インソール３がシューズ１の中底２に対して相対移動しにくくなる。そして、裏側滑り止めシート５により、裏側滑り止めシート裏面と中底面２との間の滑りが抑制される。その結果、シューズ使用者の足裏がインソール３に対して滑りにくく、インソール３がシューズ１の中底面２に対して滑りにくくなり、インソール３を介して、シューズ１の中底面２とシューズ使用者の足裏との間の滑りを効果的に抑制することができる。
【００２９】
なお、本実施形態に係るインソール３は、シューズ１の中底面２とシューズ使用者の足裏との間の滑りを効果的に抑制するから、シューズ使用者の加える力がシューズ１を介して地面に直接加えられやすく、その結果、競技者のパフォーマンスが向上する。このため、本実施形態に係るインソール３は、スポーツに用いられるスポーツシューズに適用すると特に好適である。
【００３０】
〔第２の実施形態〕
本発明に係るインソールの第２の実施形態について、図面を参照して説明する。本実施形態では、裏側滑り止め部材の構成が第１の実施形態とは異なる。以下、本実施形態に係るインソール３について、主に第１の実施形態との相違点について説明する。なお、特に明記しない点に関しては、第１の実施形態と同様であり、同一の符号を付して詳細な説明は省略する。
【００３１】
第１の実施形態では裏側滑り止め部材として裏側滑り止めシート６を芯材シート５の裏面５Ａの全面に設けた構成を示したが、第２の実施形態では、図３に示すように、裏側滑り止め部材７を、芯材シート５の裏面５Ｂにおける前足部５Ｂａと踵部５Ｂｂとのみに設けてある。つまり、本実施形態では、芯材シート５の裏面５Ｂのうち、力が加えられやすい前足部５Ｂａと踵部５Ｂｂとについて弾性を有する裏側滑り止め部材７を設けてある。これにより、前足部５Ｂａと踵部５Ｂｂとに適度なクッション性を持たせながら、裏側滑り止め部材７によって、インソール裏面とシューズ１の中底面２との間の滑りを効果的に抑制させる。
【００３２】
また、第２の実施形態では、裏側滑り止め部材７は、シート状の部材でなく、シリコンゴムをドット状に貼着させたものとしてある。この裏側滑り止め部材７では、芯材シート５の裏面５Ｂに対して、ドット状に型抜きしたシートを介してシリコン塗料を塗布することにより、シリコンゴムをドット状に点在させてある。つまり、本発明における裏側滑り止め部材は、第１の実施形態のようにシート状の部材を芯材シート５に貼りあわせるといった形態だけに限られず、滑り止め材として機能する塗料を塗布することによっても形成可能である。なお、本実施形態ではシリコン塗料を用いたが、滑り止め材として機能する塗料であれば特に限定されず、適宜選択可能である。そして、本実施形態では、裏側滑り止め部材７をドット状に点在させ、かつ、芯材シート５の裏面５Ｂにおける中足部５Ｂｃには裏側滑り止め部材７を設けておらず、これにより、裏側滑り止め部材７の形成に必要な材料（本実施形態ではシリコン塗料）の量を低減してある。
【００３３】
〔その他の実施形態〕
最後に、本発明に係るインソールのその他の実施形態について説明する。なお、以下のそれぞれの実施形態で開示される構成は、矛盾が生じない限り、他の実施形態で開示される構成と組み合わせて適用することも可能である。
【００３４】
（１）上記の実施形態では、裏側滑り止め部材６，７を芯材シート５の裏面５Ｂの全面、又は、前足部５Ｂａと踵部５Ｂｂとのみに設けた構成を例として説明した。しかし、本発明の実施形態はこれに限定されない。例えば、裏側滑り止め部材を、芯材シート５の裏面５Ｂの前足部５Ｂａのみに設ける構成としても良い。また、裏側滑り止め部材の構成も、シート状で形成したり、ドット状に点在させるのに限定されず、格子状で設けるなど、種々の構成に変更可能である。
【００３５】
（２）上記の実施形態では、表側滑り止めシート４を芯材シート５の表面５Ａの全面に設けた構成を例として説明した。しかし、本発明の実施形態はこれに限定されない。例えば、表側滑り止めシート４を設けるのを前足部だけとするなど、表側滑り止めシート４を表面５Ａの一部に設ける構成としても良い。また、表側滑り止め部材は、シート状で形成することに限定されず、ドット状に点在させたり、格子状で設けるなど、種々の構成に変更可能である。
【００３６】
（３）上記の実施形態では、芯材層の形態の一例として芯材シート５を用いた構成を例に説明したが、本発明の実施形態はこれに限定されず、芯材層の形態はある程度の厚みをもったものとするなど適宜変更可能である。また、ある程度の厚みをもたせて形成した芯材層に表側又は裏側滑り止めシート４，６を設けるときは、表側滑り止めシート４はその表面形状と同形状とし、裏側滑り止めシート６はその裏面形状と同形状とすると好適である。
【００３７】
（４）上記の実施形態では、表側滑り止めシート４と裏側滑り止めシート６とが同一の素材から形成された構成を例に説明したが、本発明の実施形態はこれに限定されず、両者は異なる素材から形成されていてもよい。
【００３８】
（５）その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００３９】
本発明は、例えばシューズのインソールに利用することができる。
【符号の説明】
【００４０】
１        シューズ
２        中底面
３        インソール
４        表側滑り止めシート（表側滑り止め部材）
５        芯材シート（芯材層）
５Ａ      表面
５Ｂ      裏面
５Ｂａ    前足部
５Ｂｂ    踵部
６        裏側滑り止めシート（裏側滑り止め部材）
７        裏側滑り止め部材
【図１】
2017221324.tif 000003
【図２】
2017221324.tif 000004
【図３】
2017221324.tif 000005